(57)【要約】【課題】外形サイズの小型化、軽量化により携帯用として持ち運びが容易であり、地面などへの設置操作が容易な動物用リード係留具を提供する。【解決手段】  動物用リード係留具１０は、主軸１１の一端側１１ａを地面内に差し込んでいく際に、該主軸１１を回転させる取っ手部１２と、該主軸１１とは、中心軸が互いに一致する、先端１３ａが先細り形状とされた螺旋状金属部１３と、主軸１１に接続された、リードを繋留する締結具１４と、を備えている。取っ手部１２を把持し、主軸１１の一端側１１ａを地面に向けて主軸１１を回転させ、この際に螺旋状金属部１３をその先端１３ａから地面に回し入れていく（ワインオープナーのコークスクリューをコルク内に回し入れていく様子に似ている）ことにより、簡便な操作で螺旋状金属部１３を地面内に食い込ませて、抜けにくくすることができる。【選択図】図１
0003203640.tif 000002
【実用新案登録請求の範囲】
【請求項１】
棒状の主軸と、
該主軸の一端側から地面内に差し込まれていく際に、該主軸を回転させる取っ手部と、
該主軸とは、中心軸を互いに一致させるようにして、該主軸の周囲に配された螺旋状金属部と、
該主軸に接続された、リードを繋留する締結具と、
を備えたことを特徴とする動物用リード係留具。
【請求項２】
前記取っ手部は、前記主軸に対して直交する平面内に含まれる、該主軸と一体化された把持可能な部材を備えていることを特徴とする請求項１記載の動物用リード係留具。
【請求項３】
前記螺旋状金属部は、該螺旋状金属部の先端に向かう程、前記中心軸からの半径が大きくなるように構成されていることを特徴とする請求項１または２記載の動物用リード係留具。
【請求項４】
前記締結具は、前記主軸に対して、この主軸の周方向に回転可能とされていることを特徴とする請求項１から３のうちいずれか１項記載の動物用リード係留具。
【請求項５】
前記締結具は、リードによって引っ張られる方向に伸縮可能な弾性を有していることを特徴とする請求項１から４のうちいずれか１項記載の動物用リード係留具。
【考案の詳細な説明】
【技術分野】
【０００１】
本考案は、例えば、犬を散歩させた際に空き地等で、犬をある程度自由に遊ばせる際に使用される簡易的な動物用リード係留具に関する。
【背景技術】
【０００２】
例えば、犬を散歩に連れて行く際には、通常、飼い主が犬を繋いだリードの他端部を持って歩くことになるが、公園、原っぱ、あるいは浜辺等についた時には、リードを適当な固定物に結び付けて、犬をある程度自由に遊ばせ、飼い主自身は少しの間、休憩を取りたいと思うことがある。
その場合、近くにリードを結びつける固定物があればよいが、原っぱや浜辺にそのような固定物はない場合が多い。また、仮にそのような固定物があったとしても、公共物や他人の所有物に犬のリードを繋留させておくことは、気が引ける場合も多い。
そこで、家から杭を持っていき、適当な場所でこの杭を地面に設置し、その杭にリードを繋げるようにすれば、上記のような要求に応えることができる。
従来より、犬等を繋ぎ止めておくための動物用係留装置としては、特許文献１等に記載されたものが知られている。
【先行技術文献】
【特許文献】
【０００３】
【特許文献１】特開２０１０‐９４１０５号公報
【考案の概要】
【考案が解決しようとする課題】
【０００４】
しかしながら、特許文献１等に記載されたものは、店舗の外に固定され、店舗に買い物等にきた客の便宜を図ったものであって、携帯用に作られたものではない。
そのため、犬の散歩時に携帯するにはサイズ的にも重量的にも適さないものとなってしまう。
また、所定の位置に、簡便に固定する配慮はなされていないので、散歩の休憩の度にその設置操作を行うことは煩に耐えない。
【０００５】
本考案は、上記のような事情に鑑みてなされたものであり、外形サイズの小型化、軽量化により携帯用として持ち運びが容易であり、地面などへの設置操作が容易な動物用リード係留具を提供することを目的とする。
【課題を解決するための手段】
【０００６】
上記目的を達成するため、本考案に係る動物用リード係留具は、
棒状の主軸と、
該主軸の一端側から地面内に差し込まれていく際に、該主軸を回転させる取っ手部と、
該主軸とは、中心軸を互いに一致させるようにして、該主軸の周囲に配された螺旋状金属部と、
該主軸に接続された、リードを繋留する締結具と、
を備えたことを特徴とするものである。
【０００７】
また、前記取っ手部は、前記主軸に対して直交する平面内に含まれる、該主軸と一体化された把持可能な部材を備えていることが好ましい。
【０００８】
また、前記螺旋状金属部は、該螺旋状金属部の先端に向かう程、前記中心軸からの半径
が大きくなるように構成されていることが好ましい。
【０００９】
また、前記締結具は、前記主軸に対して、この主軸の周方向に回転可能とされていることが好ましい。
【００１０】
また、前記締結具は、リード引っ張られ方向に伸縮可能な弾性を有していることが好ましい。
【考案の効果】
【００１１】
本考案に係る動物用リード係留具においては、取っ手部を把持し、主軸の一端側を地面に向けて主軸を回転させ、この際に螺旋状金属部をその先端から地面に回し入れていく（ワインオープナーのコークスクリューをコルク内に回し入れていく様子に似ている）ことにより、簡便な操作で螺旋状金属部を地面内に食い込ませて、係留具を抜けにくくすることができる。
【００１２】
この状態で、締結具に、動物を繋いだリードを接続すると、犬等が駆け回って締結具を引っ張ったとしても、動物用リード係留具が地面から抜ける虞を低減することができ、携帯用として持ち運びを容易なものとすることができるとともに、地面等への設置操作を容易なものとすることができる。
【図面の簡単な説明】
【００１３】
【図１】第１の実施形態に係る動物用リード係留具を表す概略図である。
【図２】第１の実施形態に係る動物用リード係留具による効果を説明するための図である。
【図３】第１の実施形態に係る動物用リード係留具の締結具部分を示す概略図である。
【図４】第１の実施形態に係る動物用リード係留具の締結具部分において、主軸に対して、この主軸の周方向に回転可能に配された回転リングを示す概略図である。
【図５】第２の実施形態に係る動物用リード係留具を表す概略図である。
【図６】第３の実施形態に係る動物用リード係留具を表す概略図である。
【考案を実施するための形態】
【００１４】
以下、本考案の実施形態について、図面を参照しながら説明する。
【００１５】
＜実施形態１＞
まず、本考案に係る実施形態１の動物用リード係留具１０の構成について、図１を参照しながら説明する。
動物用リード係留具１０は、図１に示すように、主軸１１の一端側１１ａを地面内に差し込んでいく際に、該主軸１１を回転させる取っ手部１２と、該主軸１１とは、中心軸が互いに一致する、先端１３ａが先細り形状とされた螺旋状金属部１３と、主軸１１に接続された、リードを繋留する締結具１４と、を備えたものである。
【００１６】
ここで、上記主軸１１は、金属またはプラスチック等からなる直線的な棒状部材であって、締結具１４より先端側がやや小径とされており、主軸１１の一端側（先端）１１ａの先端は地面に差し込みやすいように先細状とされている。
また、上記取っ手部１２は、筒状とされた、主軸１１の取っ手部嵌合部１２ａに密接して嵌入されており、これにより主軸１１と互いに一体化されている。
また、上記螺旋状金属部１３は、根元側（先端側とは逆側）で主軸１１に、強力に融着（または接合）されており（図１では、融着部が締結具１４の下方に斜線状に表されている）、あたかも、ワインコルクオープナーのコークスクリュ―をコルク内にねじ入れるよ
うにして、地面内に螺入される。強固で錆びないステンレス等の金属を使用することが好ましい。
【００１７】
上記螺旋状金属部１３は、螺旋の半径やピッチを一定にしておくことにより、螺旋各部が同じ軌跡を描くようにすることができ、トータルとしての抵抗分を少なくすることができて、地面内にスムーズに回し入れることができる。
この螺旋状金属部１３は、その先端を若干丸めて安全性を高めておくことが好ましいが、勿論、その先端を尖ったままにしておくことも可能である。なお、尖った先端とした場合は、樹脂製のキャップなどを嵌めて、安全性を高めておくことが好ましい。
【００１８】
また、リードを繋留する締結具１４は、主軸１１に嵌挿される締結リング１４ａと、この締結リング１４ａに結合された、リードが接続されるＣ字状のリード接続部１４ｂと、主軸１１に対して取り付けられ、間に締結リング１４ａが外れないように支持される、２つのリング抜け止め防止部材１４ｃ、１４ｄを備えている。
また、締結リング１４ａは、図４に示すように、円筒状の金属リングであって、円筒上端部がリング抜け止め防止部材１４ｃと主軸１１の間の隙間に緩く嵌め入れられ、一方、円筒下端部がリング抜け止め防止部材１４ｄと主軸１１の間の隙間に緩く嵌め入れられ、犬がこの動物用リード係留具１０の主軸１１の周りを駆け回ったとしても、リード２１とともにこの締結リング１４ａも回転するので、リード２１が主軸１１に巻きつくのを防止することができる。
【００１９】
このように構成された動物用リード係留具１０を、地面に挿入する際には、主軸１１の一端側１１ａの先端を地面につけ、この状態で下方に力を加えながら取っ手部１２を、上方から見て時計回りに回転させていく。すると、螺旋状金属部１３の先端１１aから、螺
旋状金属部１３が地面内に回し入れられ、螺旋状金属部１３の全体が地面内に埋没するようになる。この状態で取っ手部１２の回転操作を終了する。
【００２０】
次に、締結具１４のリード接続部１４ｂに、図２に示す犬のリード２１の接続金具２２を接続する。このとき、リード接続部１４ｂに、図３に示すような弾性力の強いバネ部材１４ｅを接続し、このバネ部材１４ｅとリード２１の接続金具２２を接続するようにすれば、犬２０が走り回って、リードを強く引っ張った場合にも、その引っ張り力が動物用リード係留具１０に直接伝達されるのを緩和することができるとともに、犬に対しても、首輪が強く引っ張られることにより、首に強い衝撃が走るという事態を緩和することができる。
【００２１】
このように、実施形態１の動物用リード係留具１０によれば、外形サイズの小型化、軽量化により携帯用として持ち運び易く、地面等への設置操作を容易なものとすることができる。
【００２２】
＜実施形態２＞
次に、図５を用いて、本考案に係る実施形態２の動物用リード係留具１１０の構成について説明する。
なお、この実施形態２の動物用リード係留具１１０は、螺旋状金属部１１３の形状を除いて、上記実施形態１に係る動物用リード係留具１０と略同様の構成とされているので、そのような略同様の構成については、実施形態１に係る各部材の符号に１００を加えた符号を、実施形態２に係る、対応する各部材に付し、詳細な説明については省略する。
【００２３】
この実施形態２の動物用リード係留具１１０において、螺旋状金属部１１３は図５に示すように、先端１１１aに近づくほど、主軸１１１の径方向への螺旋の径が大径となって
いる。
【００２４】
すなわち、螺旋状金属部１１３が地面中に埋め込まれたときに、深い位置にいく程、螺旋状金属部１１３が大径となっており、動物用リード係留具１１０を地面から引き抜きにくい構造とされている。
このため、実施形態１のものと比べて、地面に回し入れていく（図５では上方から見て時計回り）のに力を要するが、係留具が抜けやすい砂地等においては、極めて有用である。
このように、実施形態２の動物用リード係留具１１０によれば、実施形態１の動物用リード係留具１０と同様に、外形サイズの小型化、軽量化により携帯用として持ち運び易く、地面等への設置操作を容易なものとすることができる。
【００２５】
＜実施形態３＞
次に、図６を用いて、本考案に係る実施形態３の動物用リード係留具２１０の構成について説明する。
なお、この実施形態３の動物用リード係留具２１０は、主軸２１１の形状を除いて、上記実施形態１に係る動物用リード係留具１０と略同様の構成とされているので、そのような略同様の構成については、実施形態１に係る各部材の符号に２００を加えた符号を、実施形態３に係る、対応する各部材に付し、詳細な説明については省略する。
【００２６】
この実施形態３の動物用リード係留具２１０は実施形態２の動物用リード係留具１１０に比べると、締結具２１４より下方（螺旋状金属部２１３が配設されている方向）の部分の主軸２１１が切断された状態となっている。
このように、主軸２１１を途中から切断することにより動物用リード係留具２１０を軽量化することができ、より持ち運びが容易となる。なお、この実施形態３の螺旋状金属部２１３は、上述した実施形態１や実施形態２の螺旋状金属部１３、１１３よりも短く形成されており、主軸が短くされたことによる強度低下の影響を緩和している。
【００２７】
この場合には、動物用リード係留具２１０を地面内に回し入れていくときに、主軸２１１の一端側（先端）が地面に接触することなく、螺旋状金属部２１３の先端２１３aが地
面に接触し、この後、取っ手部２１２を把持し、螺旋状金属部２１３の先端２１３aを地
面方向に押し付けるようにして主軸２１１の中心軸に対して回転させる（図６では上方から見て時計回り）。なお、図６に示す螺旋状金属部２１３を、先端２１３aに向かうにし
たがって螺旋の径が拡がっていくような形状のもの（実施形態２の螺旋状金属部１１３と同様の形状のもの）に替えることも可能である。
【００２８】
上記回し入れ操作は、螺旋状金属部２１３が地面内に略埋没するまで行われる。なお、螺旋状金属部２１３は、締結具２１４のリング抜け止め防止部材２１４ｄの周囲に融着、または接合されることにより、主軸２１１と一体化されている。
【００２９】
このように、実施形態３の動物用リード係留具２１０によれば、実施形態１、２の動物用リード係留具１０、１１０と同様に外形サイズの小型化、軽量化により携帯用として持ち運び易く、地面等への設置操作を容易なものとすることができる。
【００３０】
以上、本考案に係る動物用リード係留具の３つの実施形態について説明したが、本考案は上述の態様に限定されるものではなく、種々に態様を変更することが可能である。
例えば、リード接続部１４ｂ、１１４ｂ、２１４ｂとは別個に、図３に示すようなバネ部材１４ｅを設けるのではなく、リード接続部１４ｂ、１１４ｂ、２１４ｂ自体に強力な弾性機能を持たせるようにしてもよい。例えば、リード接続部１４ｂ、１１４ｂ、２１４ｂをゴム部材により構成してもよい。
また、例えば、実施形態１あるいは実施形態２における主軸の先端１１a、１１１aに、
糞取り用のスコップの先端状の部材を取り付け、通常は柄の長いスコップとして用い、係留具として用いるときは、このスコップ先端状部材を取り外すようにすれば、スコップと係留具を兼用することができる。
【００３１】
また、本発明の動物用リード係留具は、犬用に限られるものではなく、家畜や爬虫類等の種々の動物に適用可能である。
また、取っ手部の形状としては、上記各実施形態記載のもののように直線状のものに限られるものではなく、取っ手部側から主軸先端方向を見たときに十字状や人字状等、手指により回転させることが可能な形状であればよい。また、必ずしも、主軸に対して直交する平面内に位置していなくともよい。
【符号の説明】
【００３２】
１０、１１０、２１０      動物用リード係留具
１１、１１１、２１１      主軸
１１ａ、１１１ａ      一端側（先端）
１２、１１２、２１２      取っ手部
１２ａ、１１２ａ、２１２ａ      取っ手部嵌合部
１３、１１３、２１３      螺旋状金属部
１３ａ、１１３ａ、２１３ａ      先端
１４、１１４、２１４      締結具
１４ａ、１１４ａ、２１４ａ      締結リング
１４ｂ、１１４ｂ、２１４ｂ      リード接続部
１４ｃ，ｄ、１１４ｃ，ｄ、２１４ｃ，ｄ      リング抜け止め防止部材
１４ｅ、１１４ｅ、２１４ｅ      バネ部材
２０      犬
２１      リード
２２      接続金具
【図１】
0003203640.tif 000003
【図２】
0003203640.tif 000004
【図３】
0003203640.tif 000005
【図４】
0003203640.tif 000006
【図５】
0003203640.tif 000007
【図６】
0003203640.tif 000008